(57)【特許請求の範囲】
【請求項１】
基板の一端に結合されるピンヘッダー及び前記基板の他端に結合されるヘッダーで構成されるダウンローダージェンダーと結合するダウンローダージェンダーケースにおいて、
前記基板の一部及び前記ヘッダーの周囲を包むように構成され、前記ヘッダーが開放される第１貫通孔が形成され、前記基板を固定する固定カバー；
前記基板の他の一部及び前記ピンヘッダーの周囲を包むように構成され、前記ピンヘッダーが開放される第２貫通孔が形成され、前記固定カバーの外側に配置されるスライドカバー；及び
前記スライドカバーと結合され、前記第２貫通孔を開閉する開閉部を含み、
前記スライドカバーは、前記ヘッダー方向に、または前記ピンヘッダー方向に摺動動作するように構成され、
前記基板の上部に嵌め部が形成され、
前記固定カバーは、
前記基板の一部及び前記ヘッダーの上部に配置され、前記嵌め部に対応する位置に、前記嵌め部に挿入される固定ピンが配置される第１カバー；及び
前記第１カバーと結合される第２カバーを含み、
前記第２カバーの内側下端に上方向に延びた第２フック部が形成され、前記第２フック部により前記第１カバーと前記第２カバーが結合され、
前記ピンヘッダーと連結された前記基板は、前記固定ピンと前記第２フック部を介して固定され、
前記固定ピンは、前記ピンヘッダーの近傍に配される
ことを特徴とする、ダウンローダージェンダーケース。
【請求項２】
前記固定カバーの一端には、第１係止部が形成され、前記スライドカバーの一端には、第１フック部が形成され、前記第１係止部と前記第１フック部の締結により前記スライドカバーが固定され、前記開閉部が閉鎖される、請求項１に記載のダウンローダージェンダーケース。
【請求項３】
前記固定カバーの他端には、第２係止部が形成され、前記第２係止部と前記第１フック部の締結により前記スライドカバーが固定され、前記開閉部が開放されて前記ピンヘッダーが露出する、請求項２に記載のダウンローダージェンダーケース。
【請求項４】
前記第１カバーには、前記スライドカバーが移動する方向に沿って凹凸部が形成される、請求項２に記載のダウンローダージェンダーケース。
【請求項５】
前記スライドカバーの内側または外側に突出部が形成され、
前記固定カバーには、
前記突出部に対応する溝が所定の長さに形成されるガイド溝と、
前記ガイド溝の一端で前記突出部の摺動を制限するストッパーが形成される、請求項１に記載のダウンローダージェンダーケース。
【請求項６】
前記スライドカバーの端部に第３フック部が形成され、前記第２カバーの下端に第３係止部が形成され、前記第１係止部と前記第１フック部の締結時、前記第３フック部と第３係止部が締結される、請求項２または４に記載のダウンローダージェンダーケース。
【発明の詳細な説明】
【技術分野】
【０００１】
本発明は、ダウンローダージェンダーケースに関する。
【背景技術】
【０００２】
一般に、ダウンローダージェンダーは、産業用電子機器のソフトウェアをダウンロードするダウンローダーにおいて、スマートコピー機（ｓｍａｒｔ  ｃｏｐｉｅｒ）のようなソフトウェア提供機器と産業用電子機器を連結し、産業用電子機器がデータの伝送を受けることができるように補助する装置である。
【０００３】
このようなダウンローダージェンダーは、ソフトウェア提供機器に連結されるヘッダーと、電子機器に連結されるピンヘッダーとで構成される。ヘッダーとピンヘッダーは、基板を介して連結され、基板は、互いに異なる端子間の互換性を提供する。
【０００４】
ダウンローダージェンダーは、電気接続端子と電気回路を含んでいるので、人体接触等の外部との接触を避ける必要がある。しかし、これを単に別途のケースに入れて密閉する場合、使用時に不便が発生し得る。
【発明の概要】
【発明が解決しようとする課題】
【０００５】
本発明が解決しようとする課題は、ダウンローダージェンダーの使用及び保管が容易であり、基板及び連結端子を外部接触から保護できるダウンローダージェンダーケースを提供することである。
【課題を解決するための手段】
【０００６】
上記のような技術的課題を解決するために、基板の一端に結合されるピンヘッダー及び前記基板の他端に結合されるヘッダーで構成されるダウンローダージェンダーと結合する本発明の一実施例のダウンロードジェンダーケースは、前記基板の一部及び前記ヘッダーの周囲を包むように構成され、前記ヘッダーが開放される第１貫通孔が形成され、前記基板を固定する固定カバー；前記基板の他の一部及び前記ピンヘッダーの周囲を包むように構成され、前記ピンヘッダーが開放される第２貫通孔が形成され、前記固定カバーの外側に配置されるスライドカバー；及び、前記スライドカバーと結合され、前記第２貫通孔を開閉する開閉部を含み、前記スライドカバーは、前記ヘッダー方向に、または前記ピンヘッダー方向に摺動動作できる。
【０００７】
本発明の一実施例において、前記固定カバーの一端には、第１係止部が形成され、前記スライドカバーの一端には、第１フック部が形成され、前記第１係止部と前記第１フック部の締結により前記スライドカバーが固定され、前記開閉部が閉鎖され得る。
【０００８】
本発明の一実施例において、前記固定カバーの他端には、第２係止部が形成され、前記第２係止部と前記第１フック部の締結により前記スライドカバーが固定され、前記開閉部が開放されて前記ピンヘッダーが露出し得る。
【０００９】
本発明の一実施例において、前記基板の上部に嵌め部が形成され、前記固定カバーは、前記基板の一部及び前記ヘッダーの上部に配置され、前記嵌め部に対応する位置に、前記嵌め部に挿入される固定ピンが配置される第１カバー；及び、前記第１カバーと結合される第２カバーを含み、前記第２カバーの内側下端に上方向に延びた第２フック部が形成され、前記第２フック部により前記第１カバーと前記第２カバーが結合され得る。
【００１０】
本発明の一実施例において、前記第１カバーには、前記スライドカバーが移動する方向に沿って凹凸部が形成され得る。
【００１１】
本発明の一実施例において、前記スライドカバーの内側または外側に突出部が形成され、前記固定カバーには、前記突出部に対応する溝が所定の長さに形成されるガイド溝と、前記ガイド溝の一端で前記突出部の摺動を制限するストッパーが形成され得る。
【００１２】
本発明の一実施例において、前記スライドカバーの端部に第３フック部が形成され、前記第２カバーの下端に第３係止部が形成され、前記第１係止部と前記第１フック部の締結時、前記第３フック部と第３係止部が締結され得る。
【発明の効果】
【００１３】
本発明は、ダウンローダージェンダーの使用及び保管が容易であり、基板及び連結端子を外部接触から保護できる効果がある。
【図面の簡単な説明】
【００１４】
【図１】一般的なダウンローダージェンダーを説明するための構成図である。
【図２】本発明の一実施例によるダウンローダージェンダーケースの保管状態における右側面図である。
【図３】本発明の一実施例によるダウンローダージェンダーケースの保管状態における底面図である。
【図４】本発明の一実施例によるダウンローダージェンダーケースの保管状態における斜視図である。
【図５】本発明の一実施例によるダウンローダージェンダーケースの保管状態における断面図である。
【図６】本発明の一実施例によるダウンローダージェンダーケースの使用状態における斜視図である。
【図７】本発明の一実施例によるダウンローダージェンダーケースの使用状態における他の方向から見た斜視図である。
【図８】本発明の一実施例によるダウンローダージェンダーケースの使用状態における右側面図である。
【図９】本発明の一実施例によるダウンローダージェンダーケースの使用状態における底面図である。
【図１０】本発明の一実施例によるダウンローダージェンダーケースの使用状態における断面図である。
【発明を実施するための形態】
【００１５】
本発明は、様々な変更を加え、また種々の実施例を有することができ、特定の実施例を図面に例示し、詳細な説明に詳述しようとする。しかし、これは、本発明を特定の実施形態に限定しようとするものではなく、本発明の思想及び技術範囲に含まれる全ての変更、均等物乃至代替物を含むものと理解されるべきである。
【００１６】
以下、添付の図面を参照して、本発明に係る好ましい一実施例を詳細に説明する。
【００１７】
図１は、一般的なダウンローダージェンダーを説明するための構成図である。
【００１８】
一般的なダウンローダージェンダーのケース２０は、基板１０、ピンヘッダー１２及びヘッダー１４で構成されるダウンローダージェンダー１０を包んで保護する。また、ダウンローダージェンダーのケース２０は、下部カバー２２、上端カバー２４及び貫通溝２６を含む。
【００１９】
ダウンローダージェンダー１０のヘッダー１４の上部に形成された突出部１６を下部カバー２２の貫通溝２６に嵌合することでダウンローダーケース２０に安着する。上部カバー２４は、下部カバー２２を覆ってダウンローダージェンダー１０を外部接触から保護する。
【００２０】
しかし、このような一般的なダウンローダージェンダーのケース２０は、ダウンローダージェンダー１０を単純保管するだけであるので、保管時に外部接触からの保護が容易ではあるが、使用時にケースから分離して使用しなければならない。この過程でピンヘッダー１２、基板１０、ヘッダー１４を使用者が手で直接取り扱わなければならない不便と危険性が存在し得る。
【００２１】
また、保管時にもピンヘッダー１２部分が開放されているため、外部の異物が当たることがあり、衝撃が加えられやすい。
【００２２】
以下、図面を参照して、本発明の一実施例を説明する。
【００２３】
図２は、本発明の一実施例のダウンローダージェンダーケースの保管状態における右側面図であり、図３は、底面図であり、図４は、斜視図であり、図５は、断面図であって、産業用電子機器のソフトウェアダウンローダーに用いるためのものである。
【００２４】
図２乃至図５を参照して、本発明の一実施例によるダウンローダージェンダーケースの保管状態について詳細に説明する。
【００２５】
図面に示されたように、本発明の一実施例によるダウンローダージェンダーケースは、ダウンローダージェンダーと結合することができる。
【００２６】
ダウンローダージェンダーは、基板１１０、基板１１０の一端に結合されるピンヘッダー１２０及び基板１１０の他端に結合されるヘッダー１３０を含むことができる。ヘッダー１３０は、ソフトウェア提供機器に連結され得る。また、ピンヘッダー１２０は、ソフトウェアをダウンロードする産業用電子機器に連結され得る。
【００２７】
基板１１０は、ヘッダー１３０とピンヘッダー１２０を通したデータ移動において互換性を提供することができる。基板１１０は、機器間が連結されているか否かを表示できるＬＥＤ２７０を含むことができる。
【００２８】
ピンヘッダー１２０の幅は、ヘッダー１３０の幅より狭くてよい。基板１１０は、約半分程度がピンヘッダー１２０の幅に相応し、残りの半分は、より狭く形成され得る。狭くて長く形成された基板１１０と、これに結合されたピンヘッダー１２０は、電子機器によって狭い幅で深く形成された連結端子にも連結され得る便宜性を提供することができる。
【００２９】
ダウンローダージェンダーケースは、第１カバー２１０及び第２カバー２２０を含む固定カバー、第１係止部２３０、第２係止部２４０、スライドカバー２５０及び開閉部２６０を含む。
【００３０】
固定カバーは、ダウンローダージェンダーを内部に安着させて固定できる。第１カバー２１０は、基板１１０、ピンヘッダー１２０及びヘッダー１３０の上部に配置され、これらの上部を覆う。ただし、ピンヘッダー１２０が第１カバー２１０に結合されたままで機器に連結され得るようにピンヘッダー１２０のピン部分は覆わずに残してもよい。
【００３１】
第１カバー２１０の形状は、ダウンローダージェンダーの形状に対応して形成され得る。即ち、第１カバー２１０は、ピンヘッダー１２０側の基板１１０の上部で狭く形成され、ヘッダー１３０側の上部でそれより広く形成される。ヘッダー１３０の上部では、ヘッダー１３０が安着できる空間を確保するために、上部に屈曲した部分を含んで高く形成され得る。
【００３２】
第１カバー２１０は、凹凸部２１２及び固定ピン２１４を含むことができる。凹凸部２１２は、基板１１０の上部中央に形成され、スライドカバー２５０の摺動動作を補助する。固定ピン２１４は、第１カバー２１０の下部内側で下部に向かって形成され得る。この場合、基板１１０は、固定ピン２１４に対応する位置に嵌め部１１２が形成され得る。固定ピン２１４は、一部が嵌め部１１２を通して基板１１０を貫通して嵌められ、基板１１０を第１カバー２１０に固定する役割をする。
【００３３】
第２カバー２２０は、基板１１０の一部及びヘッダー１３０の下部に配置され、これらの下部及び側面を囲むように形成され得る。
【００３４】
第２カバー２２０は、第２フック部２２２、第１貫通孔２２４、ガイド溝２２６及びストッパー２２８を含むことができる。
【００３５】
第２フック部２２２は、第２カバー２２０の内側下端から上方向に延びることができる。第２フック部２２２の環部分は、ヘッダー１３０が安着する方向に形成されているため、第２フック部２２２にかかる基板１１０をヘッダー１３０方向に押すこともできる。
【００３６】
基板１１０は、係止部を含むことができる。基板１１０の係止部を第２フック部２２２の位置に合わせて嵌めると、基板１１０が第２フック部２２２にかかって第２フック部２２２の弾性力により後に密着して固定され得る。また、これと同時に、第１カバー２１０は、第２カバー２２０と結合され得る。
【００３７】
第１貫通孔２２４は、ヘッダー１３０方向に形成され、ヘッダー１３０が配置された部分が開放され得る。開放されたヘッダー１３０には、ソフトウェア提供機器端子のピンが結合され得る。
【００３８】
ガイド溝２２６は、スライドカバー２５０の摺動動作をガイドすることができ、ガイド溝２２６は、ストッパー２２８まで続くように形成され得る。ストッパー２２８は、スライドカバー２５０がヘッダー１３０方向に摺動する距離を制限することができる。
【００３９】
第１係止部２３０は、第２カバー２２０の前方両側面に形成され得る。第１係止部２３０は、スライドカバー２５０が締結される状態を維持できるように補助することができる。
【００４０】
第２係止部２４０は、第１係止部２３０から水平線上でヘッダー方向に所定距離離隔されて形成され得る。第２係止部２４０は、スライドカバー２５０がヘッダー１３０方向に最大限に摺動する場合、その状態を維持できるように補助することができる。
【００４１】
第３係止部２８０は、第２カバー２２０の下端から所定距離離れたところに形成され得る。ここで、所定距離は、第１係止部２３０と第２係止部２４０との間の距離に対応できる。
【００４２】
スライドカバー２５０は、固定カバーが囲まない基板１１０の他の一部を囲むように形成され得る。スライドカバー２５０の一部は、固定カバーと重なり得る。スライドカバー２５０の下部側面は、ヘッダー１３０方向に上部側面より長く延びることができる。
【００４３】
スライドカバー２５０は、第２貫通孔２５２、第１フック部２５４、突出部２５６及び第３フック部２５８を含む。
【００４４】
第２貫通孔２５２は、ピンヘッダー１２０方向に形成され、ピンヘッダー１２０が露出し得る。露出されたピンヘッダー１２０は、電子機器に連結され得る。第１フック部２５４は、スライドカバー２５０の両側に形成され得る。第１フック部２５４は、スライドカバー２５０の側面に沿って延びた部分の両方の内側に形成され得る。
【００４５】
第１フック部２５４は、第１係止部２３０及び第２係止部２４０のいずれか一つに締結され得、ダウンローダージェンダーケースの保管状態と使用状態間の転換が可能である。
【００４６】
突出部２５６は、スライドカバー２５０の内側または外側に形成され得る。スライドカバー２５０は、その一部が固定カバーを外側に囲む形状であってもよく、その一部が固定カバーの内側に挿入される形状であってもよい。前者の場合、突出部２５６は、スライドカバー２５０の下端内側に形成され、ガイド溝２２６は、第２カバー２２０の下端外側に形成されて噛み合うことができる。後者の場合、突出部２５６は、スライドカバー２５０の下端外側に形成され、ガイド溝２２６は、第２カバー２２０の下端内側に形成されて噛み合うことができる。後者の場合、スライドカバー２５０の第１フック部２５４もまたスライドカバー２５０の側面に沿って延びた部分の両方の外側に形成され得る。
【００４７】
第３フック部２５８は、スライドカバー２５０の下端に形成され得る。スライドカバー２５０は、第３フック部２５８を通して第３係止部２８０に締結され、スライドカバー２５０と第２カバー２２０との固定状態をより強固にする。
【００４８】
開閉部２６０は、スライドカバー２５０の第２貫通孔２５２の上部でスライドカバー２５０に結合され得る。開閉部２６０は、スライドカバー２５０の上端に配置されたヒンジを通して結合され得る。
【００４９】
開閉部２６０は、保管状態で第２貫通孔２５２を覆い、ピンヘッダー１２０の外部への露出を防止することができる。
【００５０】
図６は、本発明の一実施例のダウンローダージェンダーケースの使用状態における斜視図であり、図７は、他の方向から見た斜視図であり、図８は、右側面図であり、図９は、底面図である。また、図１０は、断面図である。
【００５１】
図６乃至図１０を参照して、本発明の一実施例によるダウンローダージェンダーケースの使用状態について詳細に説明する。
【００５２】
使用者は、保管状態でスライドカバー２５０に外力を加え、第１フック部２５４と第１係止部２３０の締結及び第３係止部２８０と第３フック部２５８の締結を解除させることができる。締結が解除されたスライドカバー２５０は、その位置からヘッダー１３０方向に所定距離を摺動動作することができる。ここで、所定距離は、第１係止部２３０と第２係止部２４０の距離に対応する。
【００５３】
使用者がスライドカバー２５０をヘッダー１３０方向に最後まで押すと、スライドカバー２５０の第１フック部２５４は、第２係止部２４０に締結され、第３フック部２５８は、第２カバー２２０の下端にかかる。
【００５４】
スライド動作は、第１カバー２１０の凹凸部２１２とガイド溝２２６によってガイドされる。ただし、ガイド溝２２６の端にはストッパー２２８が形成され、スライドカバー２５０が定められた距離以上に移動できないように突出部２４５を塞ぐ。
【００５５】
固定カバーに結合されるダウンローダージェンダーのピンヘッダー１２０は、スライド動作によって開閉部２６０と会う。開閉部２６０は、ピンヘッダー１２０によって外側に押され、自然に開放される。スライド動作が完了して使用状態となった状態でも、開閉部２６０は、基板１１０の上部に形成された第１カバー２１０に当たって下がることができないため、第２貫通孔２５２が開放された状態が維持される。
【００５６】
スライドカバー２５０の摺動動作によって転換された使用状態では、開閉部２６０が開放されてピンヘッダー１２０が露出する。ピンヘッダー１２０と連結された基板１１０は、第１カバー２１０の固定ピン２１４及び第２カバー２２０の第２フック部２２２を通して強固に固定されており、ピンヘッダー１２０を電子機器に連結するとき、便宜性を提供する。また、固定ピン２１４は、ピンヘッダー１２０に近く連結されて基板１１０を固定するため、ピンヘッダー１２０を電子機器に連結するとき、力の方向が誤って加えられることによる反りに対する抵抗力が強化される。
【００５７】
使用者は、ダウンローダージェンダーの使用が完了すると、スライドカバー２５０を逆方向に摺動させ、再びダウンローダージェンダーケースを保管状態に転換することができる。
【００５８】
本発明は、固定状態時、第１カバー２１０、第２カバー２２０及び開閉部２６０によってダウンローダージェンダーが外部に露出することを防止できる。しかも、使用状態に転換時、ピンヘッダー１２０を露出させて電子機器に連結することができるため、保管及び使用の便宜性を共に提供できる効果がある。
【００５９】
以上において、本発明に係る実施例が説明されたが、これは、例示的なものに過ぎず、当該分野における通常の知識を有する者であれば、これより様々な変形及び均等な範囲の実施例が可能であるという点を理解するだろう。従って、本発明の真の技術的保護範囲は、下記の特許請求の範囲によって定められるべきである。
【図１】
0006422929.tif 000002
【図２】
0006422929.tif 000003
【図３】
0006422929.tif 000004
【図４】
0006422929.tif 000005
【図５】
0006422929.tif 000006
【図６】
0006422929.tif 000007
【図７】
0006422929.tif 000008
【図８】
0006422929.tif 000009
【図９】
0006422929.tif 000010
【図１０】
0006422929.tif 000011